(57)【特許請求の範囲】
【請求項１】
基地局の通信障害の状況を示す通信障害情報と、前記基地局を識別する基地局識別情報と、前記基地局に対応付けられた通信エリアを示す通信エリア情報と、を取得する取得部と、
前記基地局識別情報と前記通信障害情報とに基づいて前記基地局ごとに前記通信障害の状況を判定する通信障害状況判定部と、
前記通信障害状況判定部の判定結果と前記通信エリア情報とに基づいて通信障害があると判定された通信障害基地局に対応付けられた通信エリアと当該通信障害基地局以外の基地局に対応付けられた通信エリアとを識別する通信エリア識別情報を生成する通信エリア識別情報生成部と、
前記通信エリア識別情報を予め定められた態様で示す画像を出力する出力部と、を備え、
通信障害があると判定された各通信障害基地局に対応付けられた通信エリアの広さ、前記各通信障害基地局に関連付けられた基地局の数、及び、前記通信エリアにおける官公庁の有無の少なくともいずれか１つに基づいて、前記各通信障害基地局を制御するための優先度を判定する優先度判定部を更に備え、
前記出力部は、前記各通信障害基地局をリスト表示するリスト表示画像であって、前記各通信障害基地局のうち優先的に制御される通信障害基地局が前記優先度に基づいて優先的に表示されるリスト表示画像を生成し、前記画像とともに当該リスト表示画像を出力する、情報出力サーバ。
【請求項２】
前記出力部は、前記通信エリア識別情報に基づき前記通信障害があると判定された前記通信障害基地局に対応付けられた通信エリアと当該通信障害基地局以外の基地局に対応付けられた通信エリアとを異なる表示態様で示す画像を生成する、
請求項１に記載の情報出力サーバ。
【請求項３】
前記出力部は、前記通信障害基地局に対応付けられた通信エリアと通信障害がないと判定された無通信障害基地局に対応付けられた通信エリアとが重複する場合、重複する範囲においては、前記無通信障害基地局に対応付けられた通信エリアの表示態様と共通の表示態様とする画像を生成する、
請求項１又は２に記載の情報出力サーバ。
【請求項４】
前記出力部は、官公庁の位置を示す位置情報及び前記官公庁の名称を示す名称情報を少なくとも含む官公庁情報に基づいて、前記位置情報に対応する位置に前記名称を表示する、前記通信エリア識別情報を予め定められた態様で示す画像を生成する、
請求項１〜３のいずれか１項に記載の情報出力サーバ。
【請求項５】
前記通信障害状況判定部は、前記通信障害基地局に対応する前記基地局識別情報と前記通信障害情報とに基づいて、前記通信障害基地局が障害のない基地局として復旧されたことを判定し、
前記出力部は、障害がないと判定された無通信障害基地局のうち、復旧されたと判定された復旧基地局に対応付けられた通信エリアと、前記通信障害基地局及び前記無通信障害基地局に対応付けられた通信エリアと、を異なる表示態様とする画像を生成する、
請求項１〜４のいずれか１項に記載の情報出力サーバ。
【請求項６】
基地局の通信障害の状況を示す通信障害情報と、前記基地局を識別する基地局識別情報と、前記基地局に対応付けられた通信エリアを示す通信エリア情報と、を取得するステップと、
前記基地局識別情報と前記通信障害情報とに基づいて前記基地局ごとに前記通信障害の状況を判定するステップと、
前記判定するステップの判定結果と前記通信エリア情報とに基づいて通信障害があると判定された通信障害基地局に対応付けられた通信エリアと当該通信障害基地局以外の基地局に対応付けられた通信エリアとを識別する通信エリア識別情報を生成するステップと、
前記通信エリア識別情報を予め定められた態様で示す画像を出力するステップと、を含み、
通信障害があると判定された各通信障害基地局に対応付けられた通信エリアの広さ、前記各通信障害基地局に関連付けられた基地局の数、及び、前記通信エリアにおける官公庁の有無の少なくともいずれか１つに基づいて、前記各通信障害基地局を制御するための優先度を判定するステップを更に含み、
前記出力するステップは、前記各通信障害基地局をリスト表示するリスト表示画像であって、前記各通信障害基地局のうち優先的に制御される通信障害基地局が前記優先度に基づいて優先的に表示されるリスト表示画像を生成し、前記画像とともに当該リスト表示画像を出力する、
情報出力方法。
【請求項７】
コンピュータを、
基地局の通信障害の状況を示す通信障害情報と、前記基地局を識別する基地局識別情報と、前記基地局に対応付けられた通信エリアを示す通信エリア情報と、を取得する取得部と、
前記基地局識別情報と前記通信障害情報とに基づいて前記基地局ごとに前記通信障害の状況を判定する通信障害状況判定部と、
前記通信障害状況判定部の判定結果と前記通信エリア情報とに基づいて通信障害があると判定された通信障害基地局に対応付けられた通信エリアと当該通信障害基地局以外の基地局に対応付けられた通信エリアとを識別する通信エリア識別情報を生成する通信エリア識別情報生成部と、
前記通信エリア識別情報を予め定められた態様で示す画像を出力する出力部と、
通信障害があると判定された各通信障害基地局に対応付けられた通信エリアの広さ、前記各通信障害基地局に関連付けられた基地局の数、及び、前記通信エリアにおける官公庁の有無の少なくともいずれか１つに基づいて、前記各通信障害基地局を制御するための優先度を判定する優先度判定部と、
して機能させ、
前記出力部は、前記各通信障害基地局をリスト表示するリスト表示画像であって、前記各通信障害基地局のうち優先的に制御される通信障害基地局が前記優先度に基づいて優先的に表示されるリスト表示画像を生成し、前記画像とともに当該リスト表示画像を出力する、
通信エリア情報出力プログラム。
【発明の詳細な説明】
【技術分野】
【０００１】
本発明は、情報出力サーバ、情報出力方法、及び情報出力プログラムに係り、特に優先的に制御する基地局を判定する際の情報出力技術に関する。
【背景技術】
【０００２】
従来、移動端末と移動端末と所定のネットワークを介して無線通信を行う基地局とを備える無線通信システムが知られている（特許文献１）。
【先行技術文献】
【特許文献】
【０００３】
【特許文献１】特開平８−３１７４７１号公報
【発明の概要】
【発明が解決しようとする課題】
【０００４】
特許文献１記載の無線通信システムにおいては、地震等の災害が発生した場合、その災害の規模によっては、多くの基地局が一挙に停波するおそれがある。このような場合、どの基地局から復旧させるべきか判断することは困難である。
【０００５】
そこで、本発明のいくつかの態様はかかる事情に鑑みてなされたものであり、優先的に制御する基地局を容易に、且つ、効率的に判定することができる情報出力サーバ、情報出力方法、及び情報出力プログラムを提供することを目的の一つとする。
【課題を解決するための手段】
【０００６】
本発明の一側面に係る情報出力サーバは、基地局の通信障害の状況を示す通信障害情報と、基地局を識別する基地局識別情報と、基地局に対応付けられた通信エリアを示す通信エリア情報と、を取得する取得部と、基地局識別情報と通信障害情報とに基づいて基地局ごとに通信障害の状況を判定する通信障害状況判定部と、通信障害状況判定部の判定結果と通信エリア情報とに基づいて通信障害があると判定された通信障害基地局に対応付けられた通信エリアと当該通信障害基地局以外の基地局に対応付けられた通信エリアとを識別する通信エリア識別情報を生成する通信エリア識別情報生成部と、通信エリア識別情報を予め定められた態様で示す画像を出力する出力部と、を備え、通信障害があると判定された各通信障害基地局に対応付けられた通信エリアの広さ、各通信障害基地局に関連付けられた基地局の数、及び、通信エリアにおける官公庁の有無の少なくともいずれか１つに基づいて、各通信障害基地局を制御するための優先度を判定する優先度判定部を更に備え、出力部は、各通信障害基地局をリスト表示するリスト表示画像であって、各通信障害基地局のうち優先的に制御される通信障害基地局が優先度に基づいて優先的に表示されるリスト表示画像を生成し、画像とともに当該リスト表示画像を出力する。
【０００７】
本発明の一側面に係る情報出力方法は、基地局の通信障害の状況を示す通信障害情報と、基地局を識別する基地局識別情報と、基地局に対応付けられた通信エリアを示す通信エリア情報と、を取得するステップと、基地局識別情報と通信障害情報とに基づいて基地局ごとに通信障害の状況を判定するステップと、判定するステップの判定結果と通信エリア情報とに基づいて通信障害があると判定された通信障害基地局に対応付けられた通信エリアと当該通信障害基地局以外の基地局に対応付けられた通信エリアとを識別する通信エリア識別情報を生成するステップと、通信エリア識別情報を予め定められた態様で示す画像を出力するステップと、を含み、通信障害があると判定された各通信障害基地局に対応付けられた通信エリアの広さ、各通信障害基地局に関連付けられた基地局の数、及び、通信エリアにおける官公庁の有無の少なくともいずれか１つに基づいて、各通信障害基地局を制御するための優先度を判定するステップを更に含み、出力するステップは、各通信障害基地局をリスト表示するリスト表示画像であって、各通信障害基地局のうち優先的に制御される通信障害基地局が優先度に基づいて優先的に表示されるリスト表示画像を生成し、画像とともに当該リスト表示画像を出力する。
【０００８】
本発明の一側面に係る情報出力プログラムは、コンピュータを、基地局の通信障害の状況を示す通信障害情報と、基地局を識別する基地局識別情報と、基地局に対応付けられた通信エリアを示す通信エリア情報と、を取得する取得部と、基地局識別情報と通信障害情報とに基づいて基地局ごとに通信障害の状況を判定する通信障害状況判定部と、通信障害状況判定部の判定結果と通信エリア情報とに基づいて通信障害があると判定された通信障害基地局に対応付けられた通信エリアと当該通信障害基地局以外の基地局に対応付けられた通信エリアとを識別する通信エリア識別情報を生成する通信エリア識別情報生成部と、通信エリア識別情報を予め定められた態様で示す画像を出力する出力部と、通信障害があると判定された各通信障害基地局に対応付けられた通信エリアの広さ、各通信障害基地局に関連付けられた基地局の数、及び、通信エリアにおける官公庁の有無の少なくともいずれか１つに基づいて、各通信障害基地局を制御するための優先度を判定する優先度判定部と、して機能させ、出力部は、各通信障害基地局をリスト表示するリスト表示画像であって、各通信障害基地局のうち優先的に制御される通信障害基地局が優先度に基づいて優先的に表示されるリスト表示画像を生成し、画像とともに当該リスト表示画像を出力する。
【０００９】
なお、本発明において、「部」、「装置」、「システム」とは、単に物理的手段を意味するものではなく、その「部」、「装置」、「システム」が有する機能をソフトウェアによって実現する場合も含む。また、１つの「部」、「装置」、「システム」が有する機能が２つ以上の物理的手段や装置により実現されても、２つ以上の「部」、「装置」、「システム」の機能が１つの物理的手段や装置により実現されても良い。
【発明の効果】
【００１０】
本発明によれば、基地局ごとに通信障害の状況を判定する通信障害状況判定部の判定結果と基地局に対応付けられた通信エリアを示す通信エリア情報とに基づいて生成される、通信障害があると判定された通信障害基地局に対応付けられた通信エリアと当該通信障害基地局以外の基地局に対応付けられた通信エリアとを識別する通信エリア識別情報を予め定められた態様で出力することにより、優先的に制御する基地局を容易に、且つ、効率的に判定することができる。
【図面の簡単な説明】
【００１１】
【図１】本発明の実施形態に係る移動通信システムの全体構成図である。
【図２】本発明の実施形態に係る基地局のブロック図である。
【図３】本発明の実施形態に係る情報出力サーバの機能ブロック図である。
【図４】本発明の実施形態に係る情報出力処理フローの一例を示すフローチャートである。
【図５】本発明の実施形態に係る情報出力サーバの表示部における表示画像の一例を示す図である。
【図６】本発明の実施形態に係る情報出力サーバの表示部における表示画像の一例を示す図である。
【図７】本発明の実施形態に係る情報出力サーバの表示部における表示画像の一例を示す図である。
【図８】本発明の実施形態に係る情報出力サーバの表示部における表示画像の一例を示す図である。
【図９】本発明の実施形態に係る情報出力サーバの表示部における表示画像の一例を示す図である。
【発明を実施するための形態】
【００１２】
図１は、本発明の実施形態に係る移動通信システムの全体構成図である。図１に示すように、移動通信システム１００は、例示的に、基地局１０，３０と、ネットワークＮと、情報出力サーバ５０と、を備えて構成されている。
【００１３】
基地局１０は、有線回線Ｌ１を介してネットワークＮに接続しており、基地局３０も、有線回線Ｌ２を介してネットワークＮに接続している。また、基地局１０，３０に対応付けられた通信エリア１０Ａ，３０Ａは、それぞれ、基地局１０，３０からの電波が届くエリアを示している。基地局１０は、通信エリア１０Ａに位置し、本実施形態においては移動端末２１，２２が通信エリア１０Ａに在圏している。基地局３０は、通信エリア３０Ａに位置し、本実施形態においては移動端末４１，４２が通信エリア３０Ａに在圏している。ここで、エリアＯＡは、通信エリア１０Ａと通信エリア３０Ａとが重複する範囲を示す。なお、本実施形態において各通信エリア１０Ａ，３０Ａにはそれぞれ、二つの移動端末２１，２２，４１，４２が在圏しているが、二つに限られない。
【００１４】
情報出力サーバ５０は、基地局１０，３０とネットワークＮを介して通信可能に接続されている。ネットワークＮは、例示的に、不図示のＩＰネットワークとコアネットワークとを含む。ＩＰネットワークは、例えば、音声通信及びデータ通信に係わるデータをパケット化して伝送するゲートウェイ等を含んで構成される。コアネットワークは、例えば、移動端末２１，２２，４１，４２の呼制御等を行うための交換局やロケーションレジスタ等を含んで構成される。
【００１５】
図２は、本発明の実施形態に係る基地局のブロック図である。図２に示すように、基地局１０は、例示的に、ＲＦ処理部１２と、プロトコル変換部１３と、制御部１４と、記憶部１８と、ネットワークＮに接続する通信インタフェース１９とを含んで構成されている。上記のうち、制御部１４は、コンピュータ装置が所定のソフトウェアプログラムを実行することにより実現される機能ブロックである。なお、基地局３０の構成は、基地局１０の構成と同様である。
【００１６】
ＲＦ処理部１２は、図１に示す移動端末２１，２２との間で電波を送受信するためのアンテナ１１を介して、無線信号の周波数変換及び変復調処理等を行うブロックである。プロトコル変換部１３は、移動端末２１，２２の通信プロトコルと図１に示すネットワークＮの通信プロトコルとの間でプロトコル変換を行うブロックである。
【００１７】
制御部１４は、基地局１０の動作を制御する機能ブロックである。制御部１４は、例えば、少なくとも、停波等の障害から復旧する制御処理、並びに、基地局１０と移動端末２１，２２のそれぞれとの通信接続における規制実行、規制強化、規制緩和、及び規制解除等の制御処理等を実行する。制御部１４による制御処理は、後述する情報出力サーバからの制御コマンドに基づいて実行されてもよいし、基地局保守者等を含むユーザの操作により実行されてもよい。
【００１８】
判定部１５は、基地局１０の通信障害の状況を判定する機能ブロックである。判定部１５は、例えば、基地局１０に停波等の障害が発生しているか否かを判定し、基地局１０の通信障害の状況を示す通信障害情報を生成する。また、判定部１５は、基地局１０に障害が発生していると判定した後、基地局１０が復旧され障害が発生していないと判定した場合は、当該基地局１０は復旧されたと判定するように構成される。
【００１９】
算出部１６は、通信エリアの通信の性能指標の値を算出する機能ブロックである。算出部１６は、ある一定のサンプリング周期（例えば、数分〜１時間程度）毎に性能指標の値を算出し、基地局１０と移動端末２１，２２との通信負荷を判定する。
【００２０】
なお、基地局１０の性能指標は、ＫＰＩ（キーパフォーマンスインジケータ）と呼ばれるパラメータであり、具体的には、通信エリア内の基地局と移動端末との通信接続の状況・結果を示す値であり、例えば通信接続設定成功率(Ｓｅｓｓｉｏｎ  Ｓｅｔｕｐ  Ｓｕｃｃｅｓｓ  Ｒａｔｅ)、呼出設定成功率(Ｃａｌｌ  Ｓｅｔｕｐ  Ｓｕｃｃｅｓｓ  Ｒａｔｅ)無線接続成功率（Ｒｅｄｉｏ  Ｒｅｓｏｕｒｃｅ  Ｃｏｎｔｒｏｌ  Ｓｕｃｃｅｓｓ  Ｒａｔｅ）、音声接続成功率（Ｃａｌｌ  ＳｅｔｕｐＳｕｃｃｅｓｓ  ＲａｔｅＣｉｒｃｕｉｔ Ｓｗｉｔｃｈｅｄ）、及び、パケット接続成功率（Ｃａｌｌ  Ｓｅｔｕｐ  Ｓｕｃｃｅｓｓ  ＲａｔｅＰａｋｅｔ  Ｓｗｉｔｃｈｅｄ）等の値（接続値）を含む。
【００２１】
記録部１８は、基地局１０に関する各種情報を記録するブロックである。記録部１８は、例えば、基地局１０の通信障害の状況を示す通信障害情報と、基地局１０を識別する基地局識別情報と、基地局１０に対応付けられた通信エリア１０Ａを示す通信エリア情報と、を記録する。また、記録部１８は、例えば、算出部１６が算出する基地局１０の性能指標の値を記憶する。さらに、記録部１８は、例えば、基地局１０の通信エリアの広さ、基地局１０に関連付けられた基地局の数、及び、基地局１０の通信エリアにおける官公庁の位置や名称等を記録する。
【００２２】
通信インタフェース１９は、情報出力サーバとネットワークＮを介して各種情報を送受信するブロックである。通信インタフェース１９は、情報出力サーバからのリクエストに応じて、基地局１０が記録する情報を送信する。
【００２３】
図３は、本発明の実施形態に係る情報出力サーバの機能ブロック図である。図３に示すように、情報出力サーバ５０は、例示的に、送受信部５２と、情報処理部５４と、記録部５６と、表示部５８と、を含んで構成されている。上記のうち情報処理部５４は、コンピュータ装置が所定のソフトウェアプログラムを実行することにより実現される機能ブロックである。
【００２４】
送受信部５２は、情報出力サーバ５０と図１に示すネットワークＮとの間で各種情報を送受信するブロックである。ここで、送受信部５２は、本発明に係る取得部の一例であり、送受信部５２は、例えば、図１に示す基地局１０，３０の通信障害の状況を示す通信障害情報と、基地局１０，３０を識別する基地局識別情報と、基地局１０，３０に対応付けられた通信エリア１０Ａ，３０Ａを示す通信エリア情報と、を取得する。また、送受信部５２は、基地局の通信エリアの広さ、基地局に関連付けられた基地局の数、又は、基地局の通信エリアにおける官公庁の位置や名称等を含む官公庁情報を、例えば不図示の他の情報管理サーバ、又は、各基地局から取得するように構成される。さらに、送受信部５２は、例えば、後述するコマンド生成部５４６が生成した制御コマンドを送信する。
【００２５】
記録部５６は、基地局１０，３０の通信障害の状況を示す通信障害情報５６Ａと、基地局１０，３０を識別する基地局識別情報５６Ｂと、基地局１０，３０に対応付けられた通信エリア１０Ａ，３０Ａを示す通信エリア情報５６Ｃと、官公庁の位置を示す位置情報及び官公庁の名称を示す名称情報を少なくとも含む官公庁情報５６Ｄと、後述する通信エリア識別情報生成部５４２が生成する通信エリア識別情報５６Ｅと、を記録する。
【００２６】
また、記録部５６は、基地局１０，３０の通信エリアの広さ、基地局１０，３０に関連付けられた基地局の数、及び、基地局１０，３０の通信エリアにおける官公庁の位置や名称等を記録する。ここで、官公庁とは、国や地方公共団体の役所を示し、例えば、中央官庁、地方支部局、市役所、役場等が含まれる。なお、記録部５６は、例えば、記録部５６が記録する各種情報を互いに関連付けて記録するように構成されてもよい。
【００２７】
情報処理部５４は、情報出力処理を実行する機能ブロックであり、機能的に、通信障害状況判定部５４１と、通信エリア識別情報生成部５４２と、通信エリア重複範囲判定部５４３と、官公庁位置判定部５４４と、優先度判定部５４５と、画像生成部５４６と、コマンド生成部５４７と、を含んで構成されている。
【００２８】
通信障害状況判定部５４１は、基地局識別情報５６Ｂと通信障害情報５６Ａとに基づいて基地局１０，３０ごとに通信障害の状況を判定する機能ブロックである。
【００２９】
通信エリア識別情報生成部５４２は、通信エリア識別情報５６Ｅを生成する機能ブロックである。通信エリア識別情報生成部５４２は、例えば、通信障害状況判定部５４１の判定結果と通信エリア情報５６Ｃとに基づいて通信障害があると判定された通信障害基地局の通信エリアと当該通信障害基地局以外の基地局の通信エリアとを識別する通信エリア識別情報５６Ｅを生成する。
【００３０】
通信エリア重複範囲判定部５４３は、通信エリア情報５６Ｃに基づいて各通信エリアの重複範囲を判定する機能ブロックである。通信エリア重複範囲判定部５４３は、例えば図１に示す通信エリア１０Ａと通信エリア３０Ａとが重複するエリアＯＡを判定する。
【００３１】
官公庁位置判定部５４４は、官公庁情報５６Ｄに含まれる官公庁の位置を示す位置情報に基づいて、後述する画像生成部５４６が生成する画像における官公庁の位置を判定する機能ブロックである。
【００３２】
優先度判定部５４５は、基地局を制御するための優先度を判定する機能ブロックである。優先度判定部５４５は、例えば、通信障害があると判定された各通信障害基地局の通信エリアの広さ、各通信障害基地局に関連付けられた基地局の数、及び、通信エリアにおける官公庁の有無の少なくともいずれか１つに基づいて、各通信障害基地局を制御するための優先度を判定する。
【００３３】
画像生成部５４６は、通信エリア識別情報５６Ｅに基づき各通信エリアを識別する画像を生成する機能ブロックである。画像生成部５４６は、例えば、通信エリア識別情報に基づき通信障害があると判定された通信障害基地局に対応付けられた通信エリアと当該通信障害基地局以外の基地局に対応付けられた通信エリアとを異なる表示態様で示す画像を生成する。また、表示部５８は、画像生成部５４６が生成した画像を表示するブロックである。ここで、本発明に係る出力部は、例示的に、画像生成部５４６と表示部５８とを備える構成の一例である。
【００３４】
コマンド生成部５４７は、通信エリア識別情報５６Ｅに基づき基地局を制御するための制御コマンドを生成する機能ブロックである。ここで、出力部は、例示的に、コマンド生成部５４７と当該制御コマンドを基地局に送信する送受信部５２とを備える構成の一例である。
【００３５】
（情報出力処理）
図４を参照しながら、情報出力サーバにより実行される情報出力処理の実施形態を説明する。情報出力処理の実施形態においては、情報出力サーバにおいて通信エリア識別情報を予め定められた態様で出力する実施形態として、情報出力サーバにおいて通信エリア識別情報に基づいて通信エリアを示す画像を生成する。
【００３６】
図４は、本発明の実施形態に係る情報出力処理フローの一例を示すフローチャートである。
（ステップＳＰ１）
取得部の一例として図３に示す送受信部５２は、図１に示す基地局１０，３０の通信障害の状況を示す通信障害情報と、基地局１０，３０を識別する基地局識別情報と、基地局１０，３０に対応付けられた通信エリア１０Ａ，３０Ａを示す通信エリア情報と、を取得する。
【００３７】
（ステップＳＰ２）
通信障害状況判定部５４１は、基地局識別情報と通信障害情報とに基づいて基地局１０，３０ごとに通信障害の状況を判定する。
【００３８】
（ステップＳＰ３）
通信エリア識別情報生成部５４２は、例えば、通信障害状況判定部５４１の判定結果と通信エリア情報５６Ｃとに基づいて通信障害があると判定された通信障害基地局に対応付けられた通信エリアと当該通信障害基地局以外の基地局に対応付けられた通信エリアとを識別する通信エリア識別情報を生成する。
【００３９】
（ステップＳＰ４）
画像生成部５４６は、通信エリア識別情報生成部５４２が生成する通信エリア識別情報を予め定められた態様で出力する実施形態として、出力部は、通信エリア識別情報に基づいて通信エリアを示す画像を生成する。
【００４０】
図５〜図９は、本発明の実施形態に係る情報出力サーバの表示部における表示画像の一例を示す図である。具体的に、図５は、通信障害があると判定された通信障害基地局に対応付けられた通信エリアと通信障害基地局以外の基地局に対応付けられた通信エリアとを異なる表示態様で示す地図画像の一例である。図６は、通信障害基地局の通信エリアと通信障害がないと判定された無通信障害基地局に対応付けられた通信エリアとを異なる表示態様で示す地図画像の一例である。図７は、図６の地図画像の例において、各基地局の通信エリア面積及び各基地局の通信エリア内に位置する官公庁を示すリスト表示画像をさらに含む画像の一例である。図８は、図６の地図画像の例において、各親基地局と各親基地局に関連付けられた子基地局との関係を示すリスト表示画像をさらに含む画像の一例である。図９は、復旧されたと判定された復旧基地局の通信エリアと通信障害基地局及び無通信障害基地局に対応付けられた通信エリアとを異なる表示態様で示す地図画像の一例である。
【００４１】
図５に示すように、図３に示す画像生成部５４６は、通信エリア識別情報生成部５４２が生成する通信エリア識別情報に基づき通信障害があると判定された通信障害基地局の通信エリアを色Ｃ１で示し、当該通信障害基地局以外の基地局の通信エリアを色Ｃ１とは異なる色で示す地図画像Ｇ１を生成する。このような画像を生成すれば、ユーザは、通信障害基地局の通信エリアを容易に把握することができる。
【００４２】
また、図３に示す送受信部５２は、各官公庁の位置を示す位置情報及び各官公庁の名称を示す名称情報を少なくとも含む官公庁情報をさらに取得する。そして、出力部は、例えば、官公庁情報に基づいて、当該位置情報に対応する地図画像における位置ＰＯ１〜ＰＯ６に各基地局の名称（伊勢原市役所、厚木市役所、海老名市役所、綾瀬市役所、座間市役所、清川村役場）を表示する地図画像Ｇ１を生成してもよい。このような画像を生成すれば、ユーザは、どの官公庁が通信障害の発生しているエリア内に位置しているかを容易に把握できる。
【００４３】
さらに、送受信部５２は、官公庁以外の重要施設、例えば工場や病院等を含む施設の位置を示す位置情報及び当該施設の名称を示す名称情報を少なくとも含む施設情報をさらに取得する。画像生成部５４６は、当該施設を地図画像に含むように当該地図画像を生成するように構成されてもよい。具体的には、画像生成部５４６は、当該施設情報に基づいて、当該位置情報に対応する地図画像における位置に当該施設の名称を表示する地図画像Ｇ１を生成する。このような画像を生成すれば、ユーザは、どの重要施設が通信障害の発生しているエリア内に位置しているかを容易に把握できる。
【００４４】
なお、画像生成部５４６は、例えば基地局識別情報と各基地局に対応付けられた通信エリアを示す通信エリア情報とに基づいて、所定の基準点ＲＰの周辺に位置する所定の数の各基地局を示す基地局アイコンＢＩを含むように地図画像Ｇ１を生成してもよい。このような地図画像を生成すれば、ユーザは、基準点ＲＰ周辺に配置されている複数の基地局の位置を容易に把握できる。
【００４５】
図６に示すように、画像生成部５４６は、通信エリア識別情報に基づいて通信障害基地局の通信エリアを色Ｃ１で示し、通信障害がないと判定された無通信障害基地局の通信エリアを色Ｃ１とは異なる色Ｃ２で示す地図画像Ｇ２を生成する。このような画像を生成すれば、ユーザは、通信障害基地局の通信エリア（色Ｃ１）と無通信障害基地局の通信エリア（色Ｃ２）とを容易に把握することができる。
【００４６】
また、図１を用いて通信エリア１０Ａと通信エリア３０Ａとが重複する範囲（エリアＯＡ）に関して説明をしたように、複数の通信エリアは互いに重複する。したがって、例えば、通信障害基地局の通信エリアと無通信障害基地局の通信エリアとが重複する場合、画像生成部５４６は、その重複する通信エリア範囲においては、無通信障害基地局の通信エリアを色Ｃ２で示す地図画像Ｇ２を生成する。このような画像を生成すれば、ユーザは、通信障害基地局の通信エリア（色Ｃ１）と無通信障害基地局の通信エリア（色Ｃ２）とを容易に把握することができ、且つ、無通信障害基地局の通信エリア（色Ｃ２）を通信障害基地局の通信エリア（色Ｃ１）よりも優先的に出力することになるので、通信障害基地局の通信エリア（色Ｃ１）をより特定し易くなる。
【００４７】
図７に示すように、画像生成部５４６は、「×××○○上古沢」基地局、「×××○○飯山南」基地局等を含む通信障害基地局の通信エリア面積及び各基地局の通信エリア内に位置する官公庁を示すリスト表示画像ＳＧ１を含む地図画像Ｇ２を生成する。
【００４８】
具体的には、図３に示す優先度判定部５４５は、各通信障害基地局の通信エリアのエリア面積、及び、当該通信エリアにおける官公庁の有無の少なくともいずれか１つに基づいて、各通信障害基地局を制御するための優先度を判定する。例えば、優先度判定部５４５は、各通信障害基地局の通信エリアのうちエリア面積が最も大きい通信エリアを有する「×××○○上古沢」基地局を制御するための優先度の高い基地局であると判定する。また、優先度判定部５４５は、各通信障害基地局の通信エリアのうち官公庁が位置する通信エリアを有する「×××○○上古沢」基地局や「×××○○三田」基地局等を制御するための優先度の高い基地局であると判定する。さらに、優先度判定部５４５は、各通信障害基地局の通信エリアのうちエリア面積が最も大きい通信エリアであって、官公庁が位置する通信エリアを有する「×××○○上古沢」基地局を制御するための優先度が最も高い基地局であると判定する。
【００４９】
画像生成部５４６は、通信障害基地局をリスト表示するリスト表示画像ＳＧ１であって、通信障害基地局のうち優先的に制御される通信障害基地局が優先度に基づいて優先的に表示されるリスト表示画像ＳＧ１を含む地図画像Ｇ２を生成する。通常、エリア面積が広い通信エリアの基地局や官公庁を含む通信エリアの基地局は重要な基地局であるので、このような画像を生成すれば、ユーザは、複数の通信障害基地局のうち、より重要で、且つ、優先的に制御する必要がある基地局を容易に、且つ、効率的に判定することができる。
【００５０】
図８に示すように、画像生成部５４６は、「ＡＡＡ○○七沢」基地局、「ＢＢＢ○○七沢」基地局等を含む各親基地局と各親基地局に関連付けられた子基地局との親子関係を示すリスト表示画像ＳＧ２をさらに含む地図画像Ｇ２を生成する。
【００５１】
具体的には、図３に示す優先度判定部５４５は、各通信障害基地局に関連付けられた基地局の数に基づいて、各通信障害基地局を制御するための優先度を判定する。例えば、優先度判定部５４５は、各通信障害基地局の通信エリアのうち子基地局数が「４」と最も多い「ＡＡＡ○○七沢」基地局、「ＢＢＢ○○七沢」基地局等を制御するための優先度の高い親基地局であると判定する。
【００５２】
画像生成部５４６は、通信障害基地局をリスト表示するリスト表示画像ＳＧ２であって、通信障害基地局のうち優先的に制御される通信障害基地局が優先度に基づいて優先的に表示されるリスト表示画像ＳＧ２を含む地図画像Ｇ２を生成する。通常、より多くの子基地局を持つ親基地局は重要な基地局であるので、このような画像を生成すれば、ユーザは、複数の通信障害基地局のうち、より重要で、且つ、優先的に制御する必要がある親基地局を容易に、且つ、効率的に判定することができる。
【００５３】
図９に示すように、図３に示す画像生成部５４６は、通信障害状況判定部により障害がないと判定された無通信障害基地局のうち、復旧されたと判定された復旧基地局の通信エリアを示す色を、通信障害基地局の通信エリアの色Ｃ１及び無通信障害基地局の通信エリアの色Ｃ２とは異なる色Ｃ３で示す地図画像Ｇ３を生成する。このような画像を生成すれば、ユーザは、復旧基地局の通信エリア（色Ｃ３）と、通信障害基地局の通信エリア（色Ｃ１）と、無通信障害基地局の通信エリア（色Ｃ２）と、を容易に把握することができる。
【００５４】
以上のとおり、本発明の実施形態によれば、基地局ごとに通信障害の状況を判定する通信障害状況判定部の判定結果と通信エリア情報とに基づいて生成される、通信障害基地局に対応付けられた通信エリアと当該通信障害基地局以外の基地局に対応付けられた通信エリアとを識別する通信エリア識別情報を予め定められた態様で出力することにより、優先的に制御する基地局を容易に、且つ、効率的に判定することができる。
【００５５】
＜他の変形例＞
上記実施形態は、本発明の理解を容易にするためのものであり、本発明を限定して解釈するものではない。本発明はその趣旨を逸脱することなく、変更／改良（たとえば、各実施形態を組み合わせること、各実施形態の一部の構成を省略すること）され得るとともに、本発明にはその等価物も含まれる。
【００５６】
上記実施形態においては、画像生成部が生成する地図画像において、ある通信エリアと他の通信エリアとを異なる表示態様で示す一例として、当該地図画像において各通信エリアを異なる色を用いて表示しているが、これに限られず、異なる模様や異なる濃淡等の強調表示等を用いて表示してもよい。
【００５７】
優先度判定部５４５は、通信障害があると判定された各通信障害基地局の通信エリアの広さ、各通信障害基地局に関連付けられた基地局の数、及び、当該通信エリアにおける官公庁の有無の少なくともいずれか１つに基づいて、各通信障害基地局を制御するための優先度を判定すればよく、優先度判定部５４５は、例えば、通信エリアが最も大きく、子基地局を最も多く有し、通信エリアに官公庁を含む基地局を最も優先的に制御すべき基地局として判定するように構成されてもよい。また、優先度判定部５４５は、通信エリアにおける官公庁の数に基づいて優先度を判定するように構成されてもよい。
【符号の説明】
【００５８】
１０：基地局
１１：アンテナ
１２：ＲＦ処理部
１３：プロトコル変換部
１４：制御部
１５：判定部
１６：算出部
１８：記録部
１９：通信インタフェース
２１，２２：移動端末
３０：基地局
４１，４２：移動端末
５０：情報出力サーバ
５２：送受信部
５４：情報処理部
５６：記録部
５８：表示部
５４１：通信障害状況判定部
５４２：通信エリア識別情報生成部
５４３：通信エリア重複範囲判定部
５４４：官公庁位置判定部
５４５：優先度判定部
５４６：画像生成部
５４７：コマンド生成部
１００：移動通信システム
【図１】
0006461841.tif 000002
【図２】
0006461841.tif 000003
【図３】
0006461841.tif 000004
【図４】
0006461841.tif 000005
【図５】
0006461841.tif 000006
【図６】
0006461841.tif 000007
【図７】
0006461841.tif 000008
【図８】
0006461841.tif 000009
【図９】
0006461841.tif 000010